(57)【要約】【課題】コンピューターシステムのホットキーによるオーディオプレーヤーの起動方法を提供する。【解決手段】本発明の方法では、コンピューターシステムのＢＩＯＳ１３のＲＯＭに格納されたオーディオプレーヤーを起動するホットキー機能がソフトウェアにより実行される。ホットキーを押す時、キーストロークが生成され、キーボードコントローラー１５に伝送される。ＣＰＵ１１はＢＩＯＳ１３がキーストロークに基づくスキャンコードに従って、押されたキーを判定することにより、オーディオプレーヤーを起動する。【選択図】  図１
2004164540.tif 000002
【特許請求の範囲】
【請求項１】
コンピューターシステムの電源スイッチから独立したホットキーにより、オーディオプレーヤーを起動する方法であって、
前記コンピューターシステムのＢＩＯＳにアロケートされた記憶装置に、前記オーディオプレーヤーを格納する工程と、
前記コンピューターシステムをオンにし、前記ＢＩＯＳを起動する工程と、
前記ＢＩＯＳにより、前記コンピューターシステムが前記ホットキーを押すことによりオンにされたかを検出する工程と、
前記コンピューターシステムが前記ホットキーを押すことによりオンされた場合、前記ＢＩＯＳにより、前記オーディオプレーヤーを実行する工程と、
からなることを特徴とする方法。
【請求項２】
前記コンピューターシステムをオンにする工程は、前記ホットキー、或いは前記電源スイッチを押すことにより制御されることを特徴とする請求項１に記載の方法。
【請求項３】
コンピューターシステムの電源スイッチから独立したホットキーにより、オーディオプレーヤーを起動する方法であって、
前記コンピューターシステムのＢＩＯＳにアロケートされた記憶装置に、前記オーディオプレーヤーを格納する工程と、
前記コンピューターシステムをオンにし、前記ＢＩＯＳを起動する工程と、
前記ＢＩＯＳにより、前記コンピューターシステムがオンされる時に前記ホットキーが押されているかを検出する工程と、
前記コンピューターシステムがオンされる時に前記ホットキーが押されている場合、前記ＢＩＯＳにより前記オーディオプレーヤーを実行する工程と
からなることを特徴とする方法。
【請求項４】
前記ホットキーは、前記コンピューターシステムのキーボードに取り付けられることを特徴とする請求項３に記載の方法。
【請求項５】
前記検出工程は、前記ホットキーが押されているかを判断すべく、前記キーボードのキーストロークにより生成されたスキャンコードをキーボードコントローラーによりチェックすることにより実行されることを特徴とする請求項４に記載の方法。
【請求項６】
前記キーボードコントローラーは、エンベデッドコントローラーであることを特徴とする請求項５に記載の方法。
【請求項７】
コンピューターシステムであって、
ホットキーを備えるキーボードと、
前記キーボートに接続され、前記キーボードから前記ホットキーに対応するスキャンコードを受信するキーボードコントローラーと、
オーディオプレーヤーを格納する記録装置を備えたＢＩＯＳと、
前記ＢＩＯＳと前記キーボードコントローラーに接続されたＣＰＵであって、
コンピューターシステムがオンされる時に前記スキャンコードに従って前記ホットキーが押されているかどうかを検出するために前記ＢＩＯＳを起動し、かつ、前記ホットキーが押されている場合、前記オーディオプレーヤーを実行する前記ＣＰＵと、
からなることを特徴とするコンピューターシステム。
【発明の詳細な説明】
【０００１】
【発明の属する技術分野】
本発明は、コンピューターシステムのホットキーによりオーディオプレーヤーを起動させる方法に関するものであり、特に、コンピューターシステムがオンの時、基本入出力システム（Ｂａｓｉｃ  Ｉｎｐｕｔ  Ｏｕｔｐｕｔ  Ｓｙｓｔｅｍ、ＢＩＯＳ）により、ホットキーのスキャンコードを検出して、スキャンコードに従って、オーディオプレーヤーを起動する。
【０００２】
【従来の技術】
ノートブックや、デスクトップ及びその他のポータブルコンピューターのような現在のコンピューターシステムでは、マルチメディア機能及び特定の操作を実行するためのマルチメディアキーボードのように、特別なキーがキーボードに取り付けられる。オーディオ機能はコンピューターシステムにおいてよく使用される機能であり、ソフトウェアを使用し、オーディオプレーヤーにより実行される。オーディオプレーヤーは、オペレーティングシステム内の、或いは、コンピューターシステムから独立したハードウェアコントローラーによるプレーヤである。コンピューターシステムは、ノートブックなどにおいて、外部のハードウェアコントローラーにより、ホットキー機能を実行する。更に、コンピューターシステムが、ホットキーを特別に設計したキーボードに別途に与えることによりホットキー機能を提供するのはコストが高い。
【０００３】
【特許文献１】
米国特許第５７２４３６９号
【特許文献２】
台湾特許公告第４６８１０９号
【特許文献３】
台湾特許公告第０２５２４４号
【特許文献４】
台湾特許公告第４６７３４５号
【特許文献５】
台湾特許公告第５０４６４１号
【特許文献６】
台湾特許公告第４６２０１１号
【特許文献７】
台湾特許公告第２７８１６４号
【０００４】
【発明が解決しようとする課題】
本発明は、ホットキーによりオーディオプレーヤーを起動させる方法を提供することを目的とする。本発明は、ソフトウェアを活用し、コンピューターシステムのホットキー機能を実行し、オーディオプレーヤーの機能をコンピューターシステムとして提供する。
【０００５】
【課題を解決するための手段】
上述の目的に従って、本発明はホットキーによりオーディオプレーヤーを起動する方法と装置を提供する。本発明は、ソフトウェアを活用し、ホットキー機能を実行し、コンピューターシステムのＢＩＯＳ  ＲＯＭに配置されたオーディオプレーヤーを起動する方法を開示する。本発明の装置は、ＣＰＵを備えるマザーボード、ＢＩＯＳ、キーボードコントローラー、及びＩ／Ｏポート、キーボード、モニターからなる。
【０００６】
先ず、オーディオプレーヤーがコンピューターシステムのＢＩＯＳにアロケートされた記憶装置例えばＲＯＭに格納される。ホットキーは、専用キーを標準キーボードに取り付けるか、或いは、標準キーボード上の既存キーの一つを割り当てることにより提供される。ホットキーが専用キーを標準キーボードに取り付けることにより提供される場合、ホットキーはコンピューターシステムをオンにすることが出来る。次に、標準キーボード上のホットキーを押し、キーストロークが生成され、Ｉ／Ｏポートにより、キーボードコントローラーに伝送される。最後に、ＣＰＵは、ＢＩＯＳがキーストロークに基づくスキャンコードに従って押されるキーを判断することにより、オーディオプレーヤーを起動し、モニターにオーディオプレーヤーを表示する。
【０００７】
ホットキーが、標準キーボード上の既存キーの一つを割り当てることにより提供される場合、ホットキーはコンピューターシステムをオンにすることが出来ない。ユーザーがオーディオプレーヤーを起動したい場合、コンピューターシステムをオンにする前にホットキーを押す。
【０００８】
請求項１の発明は、コンピューターシステムの電源スイッチから独立したホットキーによりオーディオプレーヤーを起動する方法であって、前記コンピューターシステムのＢＩＯＳにアロケートされた記憶装置に、前記オーディオプレーヤーを格納する工程と、前記コンピューターシステムをオンにし、前記ＢＩＯＳを起動する工程と、前記ＢＩＯＳにより、前記コンピューターシステムが前記ホットキーを押すことによりオンにされたかを検出する工程と、前記コンピューターシステムが前記ホットキーを押すことによりオンされた場合、前記ＢＩＯＳにより、前記オーディオプレーヤーを実行する工程とからなる。
【０００９】
一態様では、前記コンピューターシステムをオンにする工程が前記ホットキー、或いは前記電源スイッチを押すことにより制御される。
請求項３の発明は、コンピューターシステムの電源スイッチから独立したホットキーによりオーディオプレーヤーを起動する方法であって、前記コンピューターシステムのＢＩＯＳにアロケートされた記憶装置に、前記オーディオプレーヤーを格納する工程と、前記コンピューターシステムをオンにし、前記ＢＩＯＳを起動する工程と、前記ＢＩＯＳにより、前記コンピューターシステムがオンされる時に前記ホットキーが押されているかを検出する工程と、前記コンピューターシステムがオンされる時に前記ホットキーが押されている場合、前記ＢＩＯＳにより前記オーディオプレーヤーを実行する工程とからなる。
【００１０】
一態様では、前記ホットキーは前記コンピューターシステムのキーボードに取り付けられる。
一態様では、前記検出工程は、前記ホットキーが押されているかを判断すべく、前記キーボードのキーストロークにより生成されたスキャンコードをキーボードコントローラーによりチェックすることにより実行される。
【００１１】
一態様では、前記キーボードコントローラーは、エンベデッドコントローラーである。
請求項７の発明は、ホットキーを備えるキーボードと、前記キーボートに接続され、前記キーボードから前記ホットキーに対応するスキャンコードを受信するキーボードコントローラーと、オーディオプレーヤーを格納する記録装置を備えたＢＩＯＳと、前記ＢＩＯＳと前記キーボードコントローラーに接続されたＣＰＵであって、コンピューターシステムがオンされる時に前記スキャンコードに従って前記ホットキーが押されているかどうかを検出するために前記ＢＩＯＳを起動し、かつ、前記ホットキーが押されている場合、前記オーディオプレーヤーを実行する前記ＣＰＵとからなることを特徴とするコンピューターシステムである。
【００１２】
【発明の実施の形態】
上述した本発明の目的、特徴、及び長所をいっそう明瞭にするため、以下に本発明の好ましい実施の形態を挙げ、図面を参照にしながらさらに詳しく説明する。
【００１３】
本発明は、ホットキーによりオーディオプレーヤーを起動させる方法と装置を提供する。
図１はソフトウェアによりホットキー機能を実行する本発明の装置を示す。本発明の装置は、マザーボード１０、キーボード２０及びモニター３０からなる。マザーボード１０は更に、中央処理ユニット（ＣＰＵ）１１、基本入出力システム（Ｂａｓｉｃ  Ｉｎｐｕｔ  Ｏｕｔｐｕｔ  Ｓｙｓｔｅｍ、ＢＩＯＳ）１３、キーボードコントローラー１５、Ｉ／Ｏポート１７を備える。オーディオプレーヤーはＢＩＯＳ１３にアロケートされた記憶装置としてのＲＯＭに配置（格納）される。キーボード２０上のホットキーが押される時、キーストロークが生成され、Ｉ／Ｏポート１７により、キーボードコントローラー１５に伝送される。ＢＩＯＳ１３はキーストロークに基づくスキャンコードに従って、押されたキーを判定する。オーディオプレーヤーはＢＩＯＳ１３を通じて、ＣＰＵ１１により起動され、モニター３０に表示される。
【００１４】
ホットキーは、コンピューターシステムの電源スイッチから独立した専用キーを標準キーボードに取り付けるか、或いは、標準キーボード上の既存キーの一つ割り当てることにより提供される。
【００１５】
第一実施例：
図２は本発明の第一実施例による、ソフトウェアによりホットキー機能を実行する方法を示すフローチャートである。ホットキーは、コンピューターシステムの電源スイッチから独立した専用キーを標準キーボードに取り付けることにより提供される。ホットキーが専用キーを標準キーボードに取り付けることにより提供される場合、ホットキーはコンピューターシステムをオンにすることが出来る。第一実施例の詳細な工程は以下の通りである。
【００１６】
工程Ｓ１１において、ホットキーの操作によりコンピューターがオンされる。
工程Ｓ１２において、コンピューターシステムのＢＩＯＳ１３は、コンピューターシステムがホットキーによりオンになったかどうかを判定する。ホットキーとコンピューターシステムの電源スイッチはともに、コンピューターシステムをオンにすることが出来る。コンピューターシステムは、コンピューターシステムがホットキーによりオンされたのか、或いは電源スイッチによりオンにされたのかを判定するためにＢＩＯＳ１３により検出される。
【００１７】
工程Ｓ１３において、ＣＰＵ１１はＢＩＯＳ１３を介してオーディオプレーヤーを起動させる。コンピューターシステムがホットキーを押すことによりオンにされる場合、ＣＰＵ１１はＢＩＯＳ１３を介してオーディオプレーヤーを起動する。
【００１８】
工程Ｓ１４において、コンピューターシステムは電源スイッチによりオンにされる。電源スイッチは、ホットキーを押さなくても、コンピューターシステムをオンにする。
【００１９】
第二実施例：
図３は本発明の第二実施例による、ソフトウェアによりホットキー機能を実行する方法を示すフローチャートである。ホットキーは、標準キーボード上の既存キーの一つ割り当てることにより提供される。ホットキーが既存のキーの一つを割り当てることにより提供される場合、そのホットキーはコンピューターシステムをオンにすることが出来ない。ユーザーがオーディオプレーヤーを起動したい場合、コンピューターシステムをオンにする前にホットキーを押す。第二実施例の詳細な工程は以下の通りである。
【００２０】
工程Ｓ２１において、コンピューターシステムは、キーボード２０上の電源スイッチを押すことによりオンにされる。ホットキーはコンピューターをオンにすることができないので、電源スイッチの操作により、コンピューターはオンされる。
【００２１】
工程Ｓ２２において、コンピューターシステムのＢＩＯＳ１３は、電源スイッチを押してコンピューターシステムをオンにする前にホットキーが押されているかを判断する。キーボード２０のキーストロークにより生成されるスキャンコードが、ホットキーが押されているかを判定するためにキーボードコントローラー１５によりチェックされる。
【００２２】
工程Ｓ２３において、ＣＰＵ１１はＢＩＯＳ１３を介してオーディオプレーヤーを起動させる。コンピューターシステムがオンになる前にホットキーが押されている場合、ＣＰＵ１１はＢＩＯＳ１３を介してオーディオプレーヤーを起動する。
【００２３】
工程Ｓ２４において、コンピューターシステムは、ホットキーを押したまま保持されなくても、オンにすることが出来る。
このように、本発明は、ソフトウェアソリューションにより、コンピューターシステムのホットキー機能を実行する方法と装置を開示し、同様の機能を、エンベデッドコントローラーを備えるコンピューターシステムとして、上述の目的を達成する。
【００２４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができる。従って本発明の保護範囲は、特許請求の範囲で指定した内容を基準とする。
【００２５】
【発明の効果】コンピューターキーボード外に独立したホットキーを使用し、ＢＩＯＳ  ＲＯＭに独立して設置されたオーディオプレーヤーを起動させることが出来る。
【図面の簡単な説明】
【図１】本発明のソフトウェアにより、ホットキー機能を実行する装置を示すブロック図である。
【図２】本発明の第一実施例による、ソフトウェアにより、ホットキー機能を実行する方法のフローチャートであって、ホットキーは専用キーを標準のキーボードに取り付けることにより提供されているものを示す図である。
【図３】本発明の第二実施例による、ソフトウェアにより、ホットキー機能を実行する方法のフローチャートであって、ホットキーは既存のキーを標準のキーボードにあてがうことにより提供されているものを示す図である。
【図１】
2004164540.tif 000003
【図２】
2004164540.tif 000004
【図３】
2004164540.tif 000005